(57)【要約】【課題】外観の品質の低下を抑えることのできる導電性フィルム、タッチパネル、および、表示装置を提供する。【解決手段】透明誘電体層の第１面に位置する複数の電極線は、第１電極方向Ｄ１に所定の周期で屈曲を繰り返す屈曲線形状を有する複数のセンシング電極線３３ＳＲを含み、センシング電極線３３ＳＲにおける上記周期内での第１電極方向Ｄ１における位置が位相であり、第２電極方向Ｄ２に沿って互いに隣り合うセンシング電極線３３ＳＲにて第２電極方向Ｄ２に並ぶ部分の位相は互いに異なっている。【選択図】図５
2018073355.tif 000002
【特許請求の範囲】
【請求項１】
第１面と、前記第１面とは反対側の面である第２面とを有する透明誘電体層と、
前記透明誘電体層の前記第１面にて、第１方向に沿って延びるとともに、前記第１方向と交差する第１交差方向に沿って並ぶ複数の電極線と、
前記透明誘電体層の前記第２面にて、前記第１方向と交差する第２方向に沿って延びるとともに、前記第２方向と交差する第２交差方向に沿って並ぶ複数の電極線と、
を備え、
前記第１面に位置する複数の前記電極線は、前記第１方向に所定の周期で屈曲を繰り返す屈曲線形状を有する複数の第１電極線を含み、
前記第１電極線における前記周期内での前記第１方向における位置が位相であり、前記第１交差方向に沿って互いに隣り合う前記第１電極線にて前記第１交差方向に並ぶ部分の前記位相は互いに異なっている
導電性フィルム。
【請求項２】
前記第１交差方向に沿って互いに隣り合う前記第１電極線の前記位相は反転している
請求項１に記載の導電性フィルム。
【請求項３】
前記第１電極線は、複数の屈曲部と、前記第１電極線に沿って互いに隣り合う前記屈曲部を結ぶ直線形状を有した複数の短線部とを含む
請求項１または２に記載の導電性フィルム。
【請求項４】
複数の前記第１電極線の配列間隔が第１電極線間隔であり、
前記第１交差方向において前記第１電極線が占める幅が第１屈曲幅であり、
前記第１電極線間隔に対する前記第１屈曲幅の比は、０．７５を超え１以下である
請求項１〜３のいずれか一項に記載の導電性フィルム。
【請求項５】
前記第２面に位置する複数の前記電極線は、前記第２方向に所定の周期で屈曲を繰り返す屈曲線形状を有する複数の第２電極線を含み、
前記第２電極線における前記周期内での前記第２方向における位置が位相であり、前記第２交差方向に沿って互いに隣り合う前記第２電極線にて前記第２交差方向に並ぶ部分の前記位相は互いに異なっている
請求項１〜４のいずれか一項に記載の導電性フィルム。
【請求項６】
複数の前記第１電極線の配列間隔が第１電極線間隔であり、
前記第１電極線において前記第１交差方向の一方側で隣り合う屈曲部間の前記第１方向における長さが第１屈曲周期であり、
複数の前記第２電極線の配列間隔が第２電極線間隔であり、
前記第２電極線において前記第２交差方向の一方側で隣り合う屈曲部間の前記第２方向における長さが第２屈曲周期であり、
前記第１屈曲周期は、前記第２電極線間隔の２倍の長さであり、前記第２屈曲周期は、
前記第１電極線間隔の２倍の長さである
請求項５に記載の導電性フィルム。
【請求項７】
第１面と、前記第１面とは反対側の面である第２面とを有する透明誘電体層と、
前記透明誘電体層の前記第１面にて、第１方向に沿って延びるとともに、前記第１方向と交差する第１交差方向に沿って並ぶ複数の電極線と、
前記透明誘電体層の前記第２面にて、前記第１方向と交差する第２方向に沿って延びるとともに、前記第２方向と交差する第２交差方向に沿って並ぶ複数の電極線と、
を備え、
前記第１面に位置する複数の前記電極線は、屈曲線形状を有する複数の第１電極線を含み、
複数の第１仮想屈曲部と複数の第２仮想屈曲部とを有して前記第１方向に所定の周期で屈曲を繰り返す屈曲線形状を有する仮想的な電極線であって、前記第１仮想屈曲部と前記第２仮想屈曲部とが当該電極線に沿って交互に並ぶ電極線が基準電極線であり、前記基準電極線における前記周期内での前記第１方向における位置が位相であって、複数の前記基準電極線は、前記第１交差方向に沿って、互いに隣り合う前記基準電極線にて前記第１交差方向に並ぶ部分の前記位相が互いに異なるように並び、
前記複数の第１電極線は、前記複数の基準電極線に対して、前記第１仮想屈曲部および前記第２仮想屈曲部の少なくとも一方である基準屈曲部を、各基準電極線における前記基準屈曲部の並びの順序に対し不規則に変位した屈曲線形状を有する
導電性フィルム。
【請求項８】
複数の前記基準電極線の配列間隔が電極線間隔であり、
前記基準電極線において前記第１交差方向の一方側で隣り合う２つの前記基準屈曲部の間の前記第１方向における長さが屈曲周期であり、
前記第１方向に延び、かつ、前記第１交差方向に隣り合う前記基準電極線の間の中央に位置する底辺を有する二等辺三角形状の仮想的な領域が変位領域であり、
前記変位領域は、前記基準屈曲部が前記変位領域内に位置し、当該基準屈曲部を通って前記第１交差方向に延びる仮想的な直線が前記二等辺三角形の頂点と前記底辺の中点とを通る位置に配置され、
前記二等辺三角形の高さは、前記電極線間隔の０．０５倍以上０．４５倍以下であり、
前記底辺の長さは、前記屈曲周期の０．１倍以上０．９倍以下であり、
前記第１電極線の屈曲部は、前記変位領域内に位置する
請求項７に記載の導電性フィルム。
【請求項９】
複数の前記基準電極線の配列間隔が電極線間隔であり、
前記第１交差方向に沿って隣り合う２つの前記第１電極線において、
一方の前記第１電極線の有する屈曲部であって、前記第１交差方向において他方の前記第１電極線側に位置する屈曲部と、当該屈曲部に最も近い屈曲部であって、他方の前記第１電極線が有する屈曲部との間の距離は、前記電極線間隔の０．５倍以下である
請求項７または８に記載の導電性フィルム。
【請求項１０】
請求項１〜９のいずれか一項に記載の導電性フィルムと、
前記導電性フィルムを覆うカバー層と、
前記第１面に配置された電極線と前記第２面に配置された電極線との間の静電容量を測定する周辺回路と、を備える
タッチパネル。
【請求項１１】
格子状に配列された複数の画素を有して情報を表示する表示パネルと、
前記表示パネルの表示する前記情報を透過するタッチパネルと、
前記タッチパネルの駆動を制御する制御部と、を備え、
前記タッチパネルは、請求項１０に記載のタッチパネルである
表示装置。
【発明の詳細な説明】
【技術分野】
【０００１】
本発明は、複数の電極線を備える導電性フィルム、この導電性フィルムを備えるタッチパネル、および、このタッチパネルを備える表示装置に関する。
【背景技術】
【０００２】
タッチパネルを入力デバイスとして用いる表示装置は、画像を表示する表示パネルと、表示パネルに重ねられた上記タッチパネルとを備えている。タッチパネルにおける指などの接触位置の検出方式としては、指などがタッチパネルの操作面に接触することを静電容量の変化として検出する静電容量方式が広く用いられている。静電容量方式のタッチパネルにおいて、タッチパネルの備える導電性フィルムは、第１方向に沿って延びる複数の第１電極と、第１方向と直交する第２方向に沿って延びる複数の第２電極と、第１電極と第２電極とに挟まれた透明誘電体層とを備えている。そして、１つの第１電極と複数の第２電極の各々との間における静電容量の変化が第１電極ごとに検出されて、操作面における指などの接触位置が検出される。
【０００３】
こうした導電性フィルムの一例では、複数の第１電極の各々は、第１方向に沿って延びる複数の第１電極線から構成され、複数の第２電極の各々は、第２方向に沿って延びる複数の第２電極線から構成される。電極線としては、銀や銅などの金属からなる細線が用いられる。電極線の材料として金属が用いられることによって、接触位置の検出に際しての迅速な応答性や高い分解能が得られるとともに、タッチパネルの大型化や製造コストの削減が可能となる。
【０００４】
ところで、可視光を吸収、あるいは、反射する金属から電極線が形成される構成では、タッチパネルの操作面から見て、複数の第１電極線と複数の第２電極線とが、これらの電極線が相互に直交した格子状のパターンを形成している。一方で、タッチパネルが積層される表示パネルでも、第１方向と第２方向とに沿って複数の画素を区画するブラックマトリクスが、格子状のパターンを形成している。
【０００５】
この際に、相互に隣り合う第１電極線の間の間隔は、相互に隣り合う画素間の第２方向における間隔とは一般に異なり、また、相互に隣り合う第２電極線の間の間隔も、相互に隣り合う画素間の第１方向における間隔とは異なる。そして、タッチパネルの操作面から見て、第１電極線と第２電極線とから形成される格子状の周期構造と、画素を区画する格子状の周期構造とが重なることによって、２つの周期構造のずれが、モアレ（ｍｏｉｒｅ）を誘起する場合がある。モアレが視認されると、表示装置にて視認される画像の品質の低下が生じる。
【０００６】
こうしたモアレを抑えるための方策の１つとして、電極線の周期構造の周期性を低下させることが提案されている。複数の電極線から構成されたパターンの周期性が低いと、この電極線パターンは周期構造として認識され難くなるため、画素を区画するパターンと電極線パターンとのずれが、２つの周期構造のずれとして認識され難くなる。それゆえ、モアレが視認されることが抑えられる。
【０００７】
例えば、特許文献１に記載のタッチパネルでは、第１電極線と第２電極線との各々が、山部と谷部とが交互に繰り返される折れ線形状を有しており、これらの電極線から構成されるパターンは、矩形とは異なる多角形の繰り返し構造を有する。したがって、こうした電極線パターンの周期性は、矩形が並ぶ格子状の電極線パターンと比較して低くなる。
【先行技術文献】
【特許文献】
【０００８】
【特許文献１】国際公開第２０１４／１１５８３１号
【発明の概要】
【発明が解決しようとする課題】
【０００９】
ところで、特許文献１に記載のタッチパネルにおいて、１つの面内に配置された複数の電極線は、折れ線形状を有する１つの電極線が並進された形状を有する。例えば、図１７が示すように、第１電極線１０１は、屈曲しながら第１方向Ｄａに延びる折れ線形状を有し、詳細には、互いに異なる方向に直線状に延びる２種類の短線部１１０が第１方向Ｄａに沿って交互に並ぶ形状を有する。そして、第２方向Ｄｂに沿って並ぶ複数の第１電極線１０１は、１つの第１電極線１０１が第２方向Ｄｂに沿って並進された形状を有する。こうした構成においては、同一の方向に延びる短線部１１０が第２方向Ｄｂに沿って揃って並ぶ帯状領域１１０Ｒが形成され、短線部１１０の延びる方向が互いに異なる２種類の帯状領域１１０Ｒが、第１方向Ｄａに沿って隙間なく交互に並ぶ。その結果、複数の帯状領域１１０Ｒの並びが、帯状のパターンとして視認されやすくなる。この帯状のパターンは、特に、表示装置が画像を表示していない非点灯時に外光の反射によって視認されやすく、こうした帯状のパターンが視認されると、タッチパネルにおいて指などを接触させる面である操作面から見た外観の品質が低くなる。
【００１０】
本発明は、外観の品質の低下を抑えることのできる導電性フィルム、タッチパネル、および、表示装置を提供することを目的とする。
【課題を解決するための手段】
【００１１】
上記課題を解決する導電性フィルムは、第１面と、前記第１面とは反対側の面である第２面とを有する透明誘電体層と、前記透明誘電体層の前記第１面にて、第１方向に沿って延びるとともに、前記第１方向と交差する第１交差方向に沿って並ぶ複数の電極線と、前記透明誘電体層の前記第２面にて、前記第１方向と交差する第２方向に沿って延びるとともに、前記第２方向と交差する第２交差方向に沿って並ぶ複数の電極線と、を備え、前記第１面に位置する複数の前記電極線は、前記第１方向に所定の周期で屈曲を繰り返す屈曲線形状を有する複数の第１電極線を含み、前記第１電極線における前記周期内での前記第１方向における位置が位相であり、前記第１交差方向に沿って互いに隣り合う前記第１電極線にて前記第１交差方向に並ぶ部分の前記位相は互いに異なっている。
【００１２】
上記構成によれば、複数の第１電極線のなかで同一の方向に延びる部分が、第１交差方向に沿って揃って並ぶ帯状の領域が形成されること、さらに、互いに異なる方向に延びる上記部分から構成される２種類の帯状の領域が第１方向に沿って隙間なく交互に並ぶことが抑えられる。したがって、こうした帯状の領域の並びに起因した帯状のパターンが、反射光等によって視認されることが抑えられる。それゆえ、導電性フィルムを用いたタッチパネルの操作面から見た外観の品質が低くなることが抑えられる。
【００１３】
上記構成において、前記第１交差方向に沿って互いに隣り合う前記第１電極線の前記位相は反転していてもよい。
上記構成によれば、複数の第１電極線のなかで同一の方向に延びる部分が、第１交差方向に沿って並ぶことが的確に抑えられる。したがって、帯状のパターンが視認されることが好適に抑えられる。
【００１４】
上記構成において、前記第１電極線は、複数の屈曲部と、前記第１電極線に沿って互いに隣り合う前記屈曲部を結ぶ直線形状を有した複数の短線部とを含んでもよい。
複数の短線部を含む屈曲線形状を有する電極線においては、第１交差方向に並ぶ部分の位相が一致している場合に特に帯状のパターンが視認されやすい。したがって、複数の短線部を含む屈曲線形状を有する電極線において、第１交差方向に並ぶ部分の位相が互いに異なる上記構成によれば、帯状のパターンが視認されにくくなる効果が高く得られる。
【００１５】
上記構成において、複数の前記第１電極線の配列間隔が第１電極線間隔であり、前記第１交差方向において前記第１電極線が占める幅が第１屈曲幅であり、前記第１電極線間隔に対する前記第１屈曲幅の比は、０．７５を超え１以下であってもよい。
【００１６】
上記構成によれば、複数の第１電極線からなるパターンにおいて、モアレの誘因となる周期性を低く抑えられるため、電極線パターンと画素パターンとを重ね合わせたパターンにてモアレが視認されることが好適に抑えられる。
【００１７】
上記構成において、前記第２面に位置する複数の前記電極線は、前記第２方向に所定の周期で屈曲を繰り返す屈曲線形状を有する複数の第２電極線を含み、前記第２電極線における前記周期内での前記第２方向における位置が位相であり、前記第２交差方向に沿って互いに隣り合う前記第２電極線にて前記第２交差方向に並ぶ部分の前記位相は互いに異なっていてもよい。
【００１８】
上記構成によれば、複数の第２電極線においても、帯状のパターンが視認されることが抑えられる。したがって、タッチパネルの操作面から見た外観の品質が低くなることがさらに抑えられる。
【００１９】
上記構成において、複数の前記第１電極線の配列間隔が第１電極線間隔であり、前記第１電極線において前記第１交差方向の一方側で隣り合う屈曲部間の前記第１方向における長さが第１屈曲周期であり、複数の前記第２電極線の配列間隔が第２電極線間隔であり、前記第２電極線において前記第２交差方向の一方側で隣り合う屈曲部間の前記第２方向における長さが第２屈曲周期であり、前記第１屈曲周期は、前記第２電極線間隔の２倍の長さであり、前記第２屈曲周期は、前記第１電極線間隔の２倍の長さであってもよい。
【００２０】
上記構成によれば、第１面と対向する方向から見て、第２電極線の屈曲部に対する第１電極線の屈曲部の位置が、これらの電極線が構成するパターン内で一定となる。したがって、電極線パターンにおける電極線の疎密が面内で均等になるように、電極線を配置することができる。その結果、電極線の疎密の差に起因して生じる砂目が視認されることが抑えられる。
【００２１】
上記課題を解決する導電性フィルムは、第１面と、前記第１面とは反対側の面である第２面とを有する透明誘電体層と、前記透明誘電体層の前記第１面にて、第１方向に沿って延びるとともに、前記第１方向と交差する第１交差方向に沿って並ぶ複数の電極線と、前記透明誘電体層の前記第２面にて、前記第１方向と交差する第２方向に沿って延びるとともに、前記第２方向と交差する第２交差方向に沿って並ぶ複数の電極線と、を備え、前記第１面に位置する複数の前記電極線は、屈曲線形状を有する複数の第１電極線を含み、複数の第１仮想屈曲部と複数の第２仮想屈曲部とを有して前記第１方向に所定の周期で屈曲を繰り返す屈曲線形状を有する仮想的な電極線であって、前記第１仮想屈曲部と前記第２仮想屈曲部とが当該電極線に沿って交互に並ぶ電極線が基準電極線であり、前記基準電極線における前記周期内での前記第１方向における位置が位相であって、複数の前記基準電極線は、前記第１交差方向に沿って、互いに隣り合う前記基準電極線にて前記第１交差方向に並ぶ部分の前記位相が互いに異なるように並び、前記複数の第１電極線は、前記複数の基準電極線に対して、前記第１仮想屈曲部および前記第２仮想屈曲部の少なくとも一方である基準屈曲部を、各基準電極線における前記基準屈曲部の並びの順序に対し不規則に変位した屈曲線形状を有する。
【００２２】
上記構成によれば、複数の第１電極線のなかで同一の方向に延びる部分が、第１交差方向に沿って揃って並ぶ帯状の領域が形成されること、さらに、互いに異なる方向に延びる上記部分から構成される２種類の帯状の領域が第１方向に沿って隙間なく交互に並ぶことが抑えられる。したがって、こうした帯状の領域の並びに起因した帯状のパターンが、反射光等によって視認されることが抑えられる。それゆえ、導電性フィルムを用いたタッチパネルの操作面から見た外観の品質が低くなることが抑えられる。また、第１電極線が不規則に屈曲する屈曲線形状を有するため、規則的な屈曲線からなる電極線パターンと比較して、電極線パターンが有する周期性は低く、電極線パターンと画素パターンを重ね合わせたとき、これらのパターンのずれが、２つの周期構造のずれとして認識され難くなる。したがって、電極線パターンと画素パターンとを重ね合わせたときに、モアレが視認されることが抑えられる。
【００２３】
上記構成において、複数の前記基準電極線の配列間隔が電極線間隔であり、前記基準電極線において前記第１交差方向の一方側で隣り合う２つの前記基準屈曲部の間の前記第１方向における長さが屈曲周期であり、前記第１方向に延び、かつ、前記第１交差方向に隣り合う前記基準電極線の間の中央に位置する底辺を有する二等辺三角形状の仮想的な領域が変位領域であり、前記変位領域は、前記基準屈曲部が前記変位領域内に位置し、当該基準屈曲部を通って前記第１交差方向に延びる仮想的な直線が前記二等辺三角形の頂点と前記底辺の中点とを通る位置に配置され、前記二等辺三角形の高さは、前記電極線間隔の０．０５倍以上０．４５倍以下であり、前記底辺の長さは、前記屈曲周期の０．１倍以上０．９倍以下であり、前記第１電極線の屈曲部は、前記変位領域内に位置してもよい。
【００２４】
上記構成によれば、変位領域の高さおよび底辺の長さが上記下限値以上であることによって、第１電極線の形状として、基準電極線の周期性が十分に崩れた形状が得られる。一方、変位領域の高さおよび底辺の長さが上記上限値以下であることによって、複数の第１電極線からなるパターンにおいて、互いに隣り合う第１電極線が交差することが抑えられる。
【００２５】
上記構成において、複数の前記基準電極線の配列間隔が電極線間隔であり、前記第１交差方向に沿って隣り合う２つの前記第１電極線において、一方の前記第１電極線の有する屈曲部であって、前記第１交差方向において他方の前記第１電極線側に位置する屈曲部と、当該屈曲部に最も近い屈曲部であって、他方の前記第１電極線が有する屈曲部との間の距離は、前記電極線間隔の０．５倍以下であってもよい。
【００２６】
上記構成によれば、複数の第１電極線からなるパターンにおいて、電極線の密度に偏りが生じることが抑えられる。
上記課題を解決するタッチパネルは、上記導電性フィルムと、前記導電性フィルムを覆うカバー層と、前記第１面に配置された電極線と前記第２面に配置された電極線との間の静電容量を測定する周辺回路と、を備える。
【００２７】
上記構成によれば、操作面から見た外観の品質が低くなることが抑えられたタッチパネルが実現される。
上記課題を解決する表示装置は、格子状に配列された複数の画素を有して情報を表示する表示パネルと、前記表示パネルの表示する前記情報を透過するタッチパネルと、前記タッチパネルの駆動を制御する制御部と、を備え、前記タッチパネルは、上記タッチパネルである。
【００２８】
上記構成によれば、タッチパネルの操作面から見た外観の品質が低くなることが抑えられた表示装置が実現され、特に、表示装置の非点灯時に外光の反射によって帯状のパターンが視認されることが抑えられる。
【発明の効果】
【００２９】
本発明によれば、タッチパネルにおいて外観の品質の低下を抑えることができる。
【図面の簡単な説明】
【００３０】
【図１】表示装置の第１実施形態について、表示装置の断面構造を示す断面図。
【図２】第１実施形態における導電性フィルムの平面構造を示す平面図。
【図３】第１実施形態における表示パネルの画素配列を示す平面図。
【図４】第１実施形態におけるタッチパネルの電気的構成を説明するための模式図。
【図５】第１実施形態におけるセンシング電極線の構成を示す図。
【図６】第１実施形態における複数のセンシング電極線から構成されるパターンであって、電極線間隔に対する屈曲幅の比が１．０であるパターンのＦＦＴ解析結果の一例を示す図。
【図７】第１実施形態における複数のセンシング電極線から構成されるパターンであって、電極線間隔に対する屈曲幅の比が１．０よりも小さいパターンのＦＦＴ解析結果の一例を示す図。
【図８】第１実施形態におけるセンシング電極線について、電極線間隔に対する屈曲幅の比とＦＦＴ解析結果における周波数成分の強度との関係を示す図。
【図９】第１実施形態におけるドライブ電極線の構成を示す図。
【図１０】第１実施形態における導電性フィルムの一部分の平面構造を示す平面図であって、センシング電極線とドライブ電極線とから構成される電極線パターンの一例を示す図。
【図１１】第１実施形態における導電性フィルムの一部分の平面構造を示す平面図であって、センシング電極線とドライブ電極線とから構成される電極線パターンの一例を示す図。
【図１２】導電性フィルムの第２実施形態について、第２実施形態におけるセンシング電極線の構成を示す図。
【図１３】第２実施形態のセンシング基準電極線を、基準屈曲部の変位領域とともに示す図。
【図１４】第２実施形態のセンシング基準電極線における基準屈曲部の変位によって作成されたセンシング電極線の一例を示す図。
【図１５】変形例における表示装置の断面構造を示す断面図。
【図１６】変形例における表示装置の断面構造を示す断面図。
【図１７】従来の電極線の構成を示す図。
【発明を実施するための形態】
【００３１】
（第１実施形態）
図１〜図１１を参照して、導電性フィルム、タッチパネル、および、表示装置の第１実施形態について説明する。なお、各図は、第１実施形態の導電性フィルム、タッチパネル、および、表示装置を説明するためにこれらの構成を模式的に示した図であり、各図に示される構成が有する各部位の大きさの比率は、実際の比率とは異なる場合がある。
【００３２】
［表示装置の構成］
図１を参照して、表示装置の構成について説明する。
図１が示すように、表示装置１００は、例えば、液晶パネルである表示パネル１０と、タッチパネル２０とが、図示しない１つの透明接着層によって貼り合わされた積層体を備え、さらに、タッチパネル２０を駆動するための回路やタッチパネル２０の駆動を制御する制御部を備えている。なお、表示パネル１０とタッチパネル２０との相対的な位置が筐体などの他の構成によって固定される前提であれば、上記透明接着層は割愛されてもよい。
【００３３】
表示パネル１０の表面には、略矩形形状の表示面が区画され、表示面には、画像データに基づく画像などの情報が表示される。
表示パネル１０を構成する構成要素は、タッチパネル２０から遠い構成要素から順番に、以下のように並んでいる。すなわち、タッチパネル２０から遠い順番に、下側偏光板１１、薄膜トランジスタ（以下、ＴＦＴ）基板１２、ＴＦＴ層１３、液晶層１４、カラーフィルタ層１５、カラーフィルタ基板１６、上側偏光板１７が位置している。
【００３４】
これらのうち、ＴＦＴ層１３には、サブ画素を構成する画素電極がマトリクス状に位置している。また、カラーフィルタ層１５が有するブラックマトリクスは、矩形形状を有した複数の単位格子から構成される格子形状を有している。そして、ブラックマトリクスは、こうした格子形状によって、サブ画素の各々と向かい合う領域として矩形形状を有する複数の領域を区画し、ブラックマトリクスの区画する各領域には、白色光を赤色、緑色、および、青色のいずれかの色の光に変える着色層が位置している。
【００３５】
なお、表示パネル１０が有色の光を出力するＥＬパネルであって、赤色の光を出力する赤色画素、緑色の光を出力する緑色画素、および、青色の光を出力する青色画素を有する構成であれば、上述したカラーフィルタ層１５は割愛されてもよい。この際に、ＥＬパネルにおいて相互に隣り合う画素の境界部分は、ブラックマトリクスとして機能する。また、表示パネル１０は放電によって発光するプラズマパネルであってもよく、この場合、赤色の蛍光体層と、緑色の蛍光体層と、青色の蛍光体層とを区画する境界部分がブラックマトリクスとして機能する。
【００３６】
タッチパネル２０は、静電容量方式のタッチパネルであり、導電性フィルム２１とカバー層２２とが透明接着層２３によって貼り合わされた積層体であって、表示パネル１０の表示する情報を透過する光透過性を有している。
【００３７】
詳細には、タッチパネル２０を構成する構成要素のなかで表示パネル１０に近い構成要素から順番に、透明基板３１、複数のドライブ電極３１ＤＰ、透明接着層３２、透明誘電体基板３３、複数のセンシング電極３３ＳＰ、透明接着層２３、カバー層２２が位置している。このうち、透明基板３１、ドライブ電極３１ＤＰ、透明接着層３２、透明誘電体基板３３、および、センシング電極３３ＳＰが、導電性フィルム２１を構成している。
【００３８】
透明基板３１は、表示パネル１０の表示面が表示する画像などの情報を透過する光透過性と絶縁性とを有し、表示面の全体に重ねられている。透明基板３１は、例えば、透明ガラス基板や、透明樹脂フィルムや、シリコン基板などの基材から構成される。透明基板３１に用いられる樹脂としては、例えば、ＰＥＴ（Ｐｏｌｙｅｔｈｙｌｅｎｅ  Ｔｅｒｅｐｈｔｈａｌａｔｅ）、ＰＭＭＡ（Ｐｏｌｙｍｅｔｈｙｌ  ｍｅｔｈａｃｒｙｌａｔｅ）、ＰＰ（Ｐｏｌｙｐｒｏｐｙｌｅｎｅ）、ＰＳ（Ｐｏｌｙｓｔｙｒｅｎｅ）などが挙げられる。透明基板３１は、１つの基材から構成される単層構造体であってもよいし、２つ以上の基材が重ねられた多層構造体であってもよい。
【００３９】
透明基板３１における表示パネル１０とは反対側の面は、ドライブ電極面３１Ｓとして設定され、ドライブ電極面３１Ｓには、複数のドライブ電極３１ＤＰが配置されている。複数のドライブ電極３１ＤＰ、および、ドライブ電極面３１Ｓにおいてドライブ電極３１ＤＰが位置しない部分は、１つの透明接着層３２によって透明誘電体基板３３に貼り合わされている。
【００４０】
透明接着層３２は、表示面に表示される画像などの情報を透過する光透過性を有し、透明接着層３２には、例えば、ポリエーテル系接着剤やアクリル系接着剤などが用いられる。
【００４１】
透明誘電体基板３３は、表示面に表示される画像などの情報を透過する光透過性と、電極間における静電容量の検出に適した比誘電率とを有する。透明誘電体基板３３は、例えば、透明ガラス基板や、透明樹脂フィルムや、シリコン基板などの基材から構成される。透明誘電体基板３３に用いられる樹脂としては、例えば、ＰＥＴ、ＰＭＭＡ、ＰＰ、ＰＳなどが挙げられる。透明誘電体基板３３は、１つの基材から構成される単層構造体であってもよいし、２つ以上の基材が重ねられた多層構造体であってもよい。
【００４２】
複数のドライブ電極３１ＤＰが透明接着層３２によって透明誘電体基板３３に貼り合わされる結果、透明誘電体基板３３における透明基板３１と向かい合う面である裏面には、複数のドライブ電極３１ＤＰが並んでいる。
【００４３】
透明誘電体基板３３における透明接着層３２とは反対側の面である表面は、センシング電極面３３Ｓとして設定され、センシング電極面３３Ｓには、複数のセンシング電極３３ＳＰが配置されている。すなわち、透明誘電体基板３３は、複数のドライブ電極３１ＤＰと、複数のセンシング電極３３ＳＰとに挟まれている。複数のセンシング電極３３ＳＰ、および、センシング電極面３３Ｓにおいてセンシング電極３３ＳＰが位置しない部分は、１つの透明接着層２３によってカバー層２２に貼り合わされている。
【００４４】
透明接着層２３は、表示面に表示される画像などの情報を透過する光透過性を有し、透明接着層２３には、例えば、ポリエーテル系接着剤やアクリル系接着剤などが用いられる。透明接着層２３として用いられる接着剤の種類は、ウェットラミネート接着剤であってもよいし、ドライラミネート接着剤やホットラミネート接着剤であってもよい。
【００４５】
カバー層２２は、強化ガラスなどのガラス基板や樹脂フィルムなどから形成され、カバー層２２における透明接着層２３とは反対側の面は、タッチパネル２０における表面であって操作面２０Ｓとして機能する。
【００４６】
なお、上記構成要素のうち、透明接着層２３は割愛されてもよい。透明接着層２３の省略される構成においては、カバー層２２が有する面のなかで透明誘電体基板３３と対向する面がセンシング電極面３３Ｓとして設定され、センシング電極面３３Ｓに形成される１つの薄膜のパターニングによって、複数のセンシング電極３３ＳＰが形成されればよい。
【００４７】
また、タッチパネル２０の製造に際しては、導電性フィルム２１とカバー層２２とが、透明接着層２３によって貼り合わされる方法が採用されてもよいし、こうした製造方法とは異なる他の例として、以下の製造方法が採用されてもよい。すなわち、樹脂フィルムなどのカバー層２２に、銅などの導電性金属から構成される薄膜層が直に、もしくは、下地層を介して形成され、薄膜層の上にセンシング電極３３ＳＰのパターン形状を有したレジスト層が形成される。次いで、塩化第二鉄などを用いたウェットエッチング法によって、薄膜層が複数のセンシング電極３３ＳＰに加工されて、第１のフィルムが得られる。また、センシング電極３３ＳＰと同様に、透明基板３１として機能する他の樹脂フィルムに形成された薄膜層が複数のドライブ電極３１ＤＰに加工されて、第２のフィルムが得られる。そして、第１フィルムと第２フィルムとが透明誘電体基板３３を挟むように、透明誘電体基板３３に対して透明接着層２３，３２によって貼り付けられる。
【００４８】
［導電性フィルムの平面構造］
図２を参照して、センシング電極３３ＳＰとドライブ電極３１ＤＰとの位置関係を中心に、導電性フィルム２１の平面構造について説明する。なお、図２は、透明誘電体基板３３の表面と対向する方向から導電性フィルム２１を見た図であり、二点鎖線で囲まれた横方向に沿って延びる帯状領域の各々は、１つのセンシング電極３３ＳＰが配置される領域を示し、二点鎖線で囲まれた縦方向に沿って延びる帯状領域の各々は、１つのドライブ電極３１ＤＰが配置される領域を示している。なお、センシング電極３３ＳＰおよびドライブ電極３１ＤＰの数は簡略化して示している。
【００４９】
また、センシング電極３３ＳＰとドライブ電極３１ＤＰとの構成を理解しやすくするために、図２にて最も上側に位置するセンシング電極３３ＳＰについてのみ、センシング電極３３ＳＰを構成するセンシング電極線を太線で示し、図２にて最も左側に位置するドライブ電極３１ＤＰについてのみ、ドライブ電極３１ＤＰを構成するドライブ電極線を細線で示している。
【００５０】
図２が示すように、透明誘電体基板３３のセンシング電極面３３Ｓにおいて、複数のセンシング電極３３ＳＰの各々は、１つの方向である第１電極方向Ｄ１に沿って延びる帯形状を有し、かつ、第１電極方向Ｄ１と直交する第２電極方向Ｄ２に沿って並んでいる。各センシング電極３３ＳＰは、隣り合う他のセンシング電極３３ＳＰと互いに絶縁されている。
【００５１】
各センシング電極３３ＳＰは、複数のセンシング電極線３３ＳＲから構成され、センシング電極面３３Ｓには、これら複数のセンシング電極線３３ＳＲの集合であるセンシング電極線群が配置されている。センシング電極線３３ＳＲの形成材料には、銅や銀やアルミニウムなどの金属膜が用いられ、センシング電極線３３ＳＲは、例えば、センシング電極面３３Ｓに成膜された金属膜がエッチングによってパターニングされることにより形成される。複数のセンシング電極３３ＳＰの各々は、センシングパッド３３Ｐを介して個別にタッチパネル２０の周辺回路の一例である検出回路に接続され、検出回路によって電流値を測定される。
【００５２】
透明基板３１のドライブ電極面３１Ｓにおいて、複数のドライブ電極３１ＤＰの各々は、第２電極方向Ｄ２に沿って延びる帯形状を有し、かつ、第１電極方向Ｄ１に沿って並んでいる。各ドライブ電極３１ＤＰは、隣り合う他のドライブ電極３１ＤＰと互いに絶縁されている。
【００５３】
各ドライブ電極３１ＤＰは、複数のドライブ電極線３１ＤＲから構成され、ドライブ電極面３１Ｓには、これら複数のドライブ電極線３１ＤＲの集合であるドライブ電極線群が配置されている。ドライブ電極線３１ＤＲの形成材料には、銅や銀やアルミニウムなどの金属膜が用いられ、ドライブ電極線３１ＤＲは、例えば、ドライブ電極面３１Ｓに成膜された金属膜がエッチングによってパターニングされることにより形成される。複数のドライブ電極３１ＤＰの各々は、ドライブパッド３１Ｐを介して個別にタッチパネル２０の周辺回路の一例である選択回路に接続され、選択回路が出力する駆動信号を受けることによって選択回路に選択される。
【００５４】
透明誘電体基板３３の表面と対向する平面視において、センシング電極３３ＳＰとドライブ電極３１ＤＰとが相互に重なる部分は、図２の二点鎖線によって区画される四角形状を有した容量検出部ＮＤである。１つの容量検出部ＮＤは、１つのセンシング電極３３ＳＰと、１つのドライブ電極３１ＤＰとが立体的に交差する部分であって、タッチパネル２０において使用者の指などが触れている位置を検出することの可能な最小の単位である。
【００５５】
なお、センシング電極線３３ＳＲおよびドライブ電極線３１ＤＲの形成方法としては、上述のエッチングに限らず、例えば印刷法などの他の方法が用いられてもよい。
［表示パネルの平面構造］
図３を参照して、表示パネル１０におけるカラーフィルタ層１５の平面構造、すなわち、表示パネル１０の画素配列について説明する。
【００５６】
図３が示すように、カラーフィルタ層１５のブラックマトリクス１５ａは、上記第１電極方向Ｄ１と上記第２電極方向Ｄ２とに沿って並ぶ矩形形状を有した複数の単位格子から構成される格子パターンを有している。１つの画素１５Ｐは、第１電極方向Ｄ１に沿って連続する３つの単位格子から構成され、複数の画素１５Ｐは、第１電極方向Ｄ１、および、第２電極方向Ｄ２に沿って格子状に並んでいる。
【００５７】
複数の画素１５Ｐの各々は、赤色を表示するための赤色着色層１５Ｒ、緑色を表示するための緑色着色層１５Ｇ、および、青色を表示するための青色着色層１５Ｂから構成されている。カラーフィルタ層１５において、例えば、赤色着色層１５Ｒ、緑色着色層１５Ｇ、および、青色着色層１５Ｂが、第１電極方向Ｄ１に沿って、この順で、繰り返し並んでいる。また、複数の赤色着色層１５Ｒは、第２電極方向Ｄ２に沿って連続して並び、複数の緑色着色層１５Ｇは、第２電極方向Ｄ２に沿って連続して並び、複数の青色着色層１５Ｂは、第２電極方向Ｄ２に沿って連続して並んでいる。
【００５８】
１つの赤色着色層１５Ｒ、１つの緑色着色層１５Ｇ、および、１つの青色着色層１５Ｂは、１つの画素１５Ｐを構成し、複数の画素１５Ｐは、第１電極方向Ｄ１における赤色着色層１５Ｒ、緑色着色層１５Ｇ、および、青色着色層１５Ｂの並ぶ順番を維持した状態で、第１電極方向Ｄ１に沿って並んでいる。また、換言すれば、複数の画素１５Ｐは、第２電極方向Ｄ２に沿って延びるストライプ状に配置されている。
【００５９】
画素１５Ｐにおける第１電極方向Ｄ１に沿った幅が第１画素幅Ｐ１であり、画素１５Ｐにおける第２電極方向Ｄ２に沿った幅が第２画素幅Ｐ２である。第１画素幅Ｐ１、および、第２画素幅Ｐ２の各々は、表示パネル１０の大きさや表示パネル１０に求められる解像度などに応じた値に設定される。
【００６０】
［タッチパネルの電気的構成］
図４を参照して、タッチパネル２０の電気的構成を、表示装置１００の備える制御部の機能とともに説明する。なお、以下では、静電容量方式のタッチパネル２０の一例として、相互容量方式のタッチパネル２０における電気的構成を説明する。
【００６１】
図４が示すように、タッチパネル２０は、周辺回路として、選択回路３４および検出回路３５を備えている。選択回路３４は、複数のドライブ電極３１ＤＰに接続され、検出回路３５は、複数のセンシング電極３３ＳＰに接続され、表示装置１００の備える制御部３６は、選択回路３４と検出回路３５とに接続されている。
【００６２】
制御部３６は、各ドライブ電極３１ＤＰに対する駆動信号の生成を選択回路３４に開始させるための開始タイミング信号を生成して出力する。制御部３６は、駆動信号が供給される対象を１番目のドライブ電極３１ＤＰ１からｎ番目のドライブ電極３１ＤＰｎに向けて選択回路３４に順次走査させるための走査タイミング信号を生成して出力する。
【００６３】
制御部３６は、各センシング電極３３ＳＰを流れる電流の検出を検出回路３５に開始させるための開始タイミング信号を生成して出力する。制御部３６は、検出の対象を１番目のセンシング電極３３ＳＰ１からｎ番目のセンシング電極３３ＳＰｎに向けて検出回路３５に順次走査させるための走査タイミング信号を生成して出力する。
【００６４】
選択回路３４は、制御部３６の出力した開始タイミング信号に基づいて、駆動信号の生成を開始し、制御部３６の出力した走査タイミング信号に基づいて、駆動信号の出力先を１番目のドライブ電極３１ＤＰ１からｎ番目のドライブ電極３１ＤＰｎに向けて走査する。
【００６５】
検出回路３５は、信号取得部３５ａと信号処理部３５ｂとを備えている。信号取得部３５ａは、制御部３６の出力した開始タイミング信号に基づいて、各センシング電極３３ＳＰに生成されたアナログ信号である電流信号の取得を開始する。そして、信号取得部３５ａは、制御部３６の出力した走査タイミング信号に基づいて、電流信号の取得元を１番目のセンシング電極３３ＳＰ１からｎ番目のセンシング電極３３ＳＰｎに向けて走査する。
【００６６】
信号処理部３５ｂは、信号取得部３５ａの取得した各電流信号を処理して、デジタル値である電圧信号を生成し、生成された電圧信号を制御部３６に向けて出力する。このように、選択回路３４と検出回路３５とは、静電容量の変化に応じて変わる電流信号から電圧信号を生成することによって、ドライブ電極３１ＤＰとセンシング電極３３ＳＰとの間の静電容量の変化を測定する。
【００６７】
制御部３６は、信号処理部３５ｂの出力した電圧信号に基づいて、タッチパネル２０において使用者の指などが触れている位置を検出し、検出した位置の情報を、表示パネル１０の表示面に表示される情報の生成などの各種の処理に利用する。なお、タッチパネル２０は、上述した相互容量方式のタッチパネル２０に限らず、自己容量方式のタッチパネルであってもよい。
【００６８】
［センシング電極の構成］
図５を参照して、センシング電極３３ＳＰの構成について説明する。
図５が示すように、複数のセンシング電極線３３ＳＲの各々は、第１電極方向Ｄ１に所定の周期で屈曲を繰り返す屈曲線形状を有している。
【００６９】
まず、１つのセンシング電極線３３ＳＲの構成について説明する。センシング電極線３３ＳＲは、複数の屈曲部３３Ｑと、センシング電極線３３ＳＲに沿って互いに隣り合う屈曲部３３Ｑを結ぶ直線形状を有した複数の短線部３３Ｅとを含んでいる。複数の短線部３３Ｅは、第１電極方向Ｄ１に沿って並ぶ。屈曲部３３Ｑは、互いに隣り合う２つの短線部３３Ｅの連結される部分であり、図中山部に相当する屈曲部３３Ｑと、図中谷部に相当する屈曲部３３Ｑとが、センシング電極線３３ＳＲに沿って１つずつ交互に並んでいる。換言すれば、センシング電極線３３ＳＲは、複数の短線部３３Ｅが屈曲部３３Ｑを介して連なり、全体として第１電極方向Ｄ１に延びる折れ線形状を有する。
【００７０】
複数の短線部３３Ｅの各々は、短線部３３Ｅの延びる方向に沿って長さＬｓを有している。複数の短線部３３Ｅにおいて、長さＬｓは一定である。また、複数の短線部３３Ｅは、第１電極方向Ｄ１に沿って延びる直線である基軸線Ａ１に対して角度＋θの傾きを有する短線部３３Ｅａと、基軸線Ａ１に対して角度−θの傾きを有する短線部３３Ｅｂとから構成され、短線部３３Ｅａと短線部３３Ｅｂとは第１電極方向Ｄ１に沿って交互に並んでいる。すなわち、複数の短線部３３Ｅにおいて、基軸線Ａ１に対する各短線部３３Ｅの傾きの絶対値は一定であり、上記傾きが正である短線部３３Ｅと、上記傾きが負である短線部３３Ｅとが、第１電極方向Ｄ１に沿って交互に繰り返されている。
【００７１】
屈曲部３３Ｑにて接続される短線部３３Ｅａと短線部３３Ｅｂとのなす角の角度が屈曲角度αｓであり、１つのセンシング電極線３３ＳＲ内において、屈曲角度αｓは一定である。また、屈曲角度αｓは、屈曲部３３Ｑを通って第２電極方向Ｄ２に沿って延びる直線によって、二等分される。
【００７２】
センシング電極線３３ＳＲにおける第２電極方向Ｄ２の一方側に位置する複数の屈曲部３３Ｑは、第１電極方向Ｄ１に沿って延びる直線上に位置し、センシング電極線３３ＳＲにおける第２電極方向Ｄ２の他方側に位置する複数の屈曲部３３Ｑもまた、第１電極方向Ｄ１に沿って延びる直線上に位置する。これらの直線間の長さ、すなわち、第２電極方向Ｄ２の一方側に位置する屈曲部３３Ｑと、第２電極方向Ｄ２の他方側に位置する屈曲部３３Ｑとの間の、第２電極方向Ｄ２に沿った長さが屈曲幅Ｈｓである。換言すれば、屈曲幅Ｈｓは第２電極方向Ｄ２において１つのセンシング電極線３３ＳＲが占める幅、すなわち、１つの短線部３３Ｅにおける第２電極方向Ｄ２に沿った長さである。
【００７３】
また、上記第２電極方向Ｄ２の一方側もしくは他方側にて、第１電極方向Ｄ１に沿って隣り合う屈曲部３３Ｑ間の距離が屈曲周期Ｗｓであり、１つのセンシング電極線３３ＳＲ内において、屈曲周期Ｗｓは一定である。換言すれば、屈曲周期Ｗｓは、センシング電極線３３ＳＲにおける山部間の長さであり、センシング電極線３３ＳＲにおける谷部間の長さであり、センシング電極線３３ＳＲにおける１周期の長さである。
【００７４】
続いて、複数のセンシング電極線３３ＳＲの配置について説明する。
複数のセンシング電極線３３ＳＲは、第２電極方向Ｄ２に沿って並べられている。１つのセンシング電極３３ＳＰを構成する複数のセンシング電極線３３ＳＲの各々は、第１電極方向Ｄ１における一方の端部にてセンシングパッド３３Ｐに接続されている。
【００７５】
複数のセンシング電極線３３ＳＲは、第１電極方向Ｄ１に位相のずれた状態で第２電極方向Ｄ２に沿って並んでいる。すなわち、第２電極方向Ｄ２に沿って互いに隣り合うセンシング電極線３３ＳＲにおいて、第２電極方向Ｄ２に沿って並ぶ部分の位相は、互いに異なっている。位相は、センシング電極線３３ＳＲにおける１周期内での第１電極方向Ｄ１における位置であり、例えば、谷部である屈曲部３３Ｑから、この屈曲部３３Ｑと第１電極方向Ｄ１に沿って隣り合う谷部である屈曲部３３Ｑまでの部分における位置である。
【００７６】
詳細には、互いに隣り合うセンシング電極線３３ＳＲにおいて、第２電極方向Ｄ２に沿って並ぶ部分は逆位相になっている。換言すれば、互いに隣り合うセンシング電極線３３ＳＲの位相は反転している。例えば、図５に示す領域Ｒ１の中央部分では、谷部間を１周期とするとき、図中上側のセンシング電極線３３ＳＲの位相は、１周期の開始位置に相当し、図中下側のセンシング電極線３３ＳＲの位相は、１周期の２分の１の位置に相当する。こうした構成においては、第２電極方向Ｄ２に沿って、山部である屈曲部３３Ｑと谷部である３３Ｑとが交互に並び、また、短線部３３Ｅａと短線部３３Ｅｂとが交互に並ぶ。
【００７７】
複数のセンシング電極線３３ＳＲは、第２電極方向Ｄ２に沿って一定の配列間隔で並び、この配列間隔が電極線間隔Ｐｓである。すなわち、電極線間隔Ｐｓは、互いに隣り合うセンシング電極線３３ＳＲにおける山部間もしくは谷部間の、第２電極方向Ｄ２に沿った長さである。また、複数のセンシング電極線３３ＳＲにおいて、短線部３３Ｅの長さＬｓ、屈曲角度αｓ、屈曲幅Ｈｓ、屈曲周期Ｗｓの各々は一定である。
【００７８】
屈曲角度αｓ、屈曲幅Ｈｓ、屈曲周期Ｗｓ、および、電極線間隔Ｐｓの各パラメータは、フーリエ解析を利用して、複数のセンシング電極線３３ＳＲからなるパターンと表示パネル１０の画素パターンとを重ね合わせたときに、モアレの発生が抑えられる値に設定されることが好ましい。具体的には、複数のセンシング電極線３３ＳＲからなるパターンを所定周期の画素パターンと重ね合わせたときに生じるモアレのコントラストや、モアレとして視認される縞のピッチおよび角度を算出し、モアレが視認され難くなるように、各パラメータの値が設定される。このとき、互いに異なるサイズや互いに異なる解像度の複数の表示パネル１０が有する画素パターンに対し、共通してモアレの発生が抑えられる各パラメータの値が求められることが好ましい。重ね合わせの対象となる複数の表示パネル１０は、少なくとも、互いに異なるサイズを有する２種類の表示パネル、もしくは、互いに異なる解像度を有する２種類の表示パネルを含んでいればよい。
【００７９】
フーリエ解析では、重ね合わされるパターンに対してフーリエ変換を行って周波数情報を取得し、得られた二次元フーリエパターンの畳み込み（Ｃｏｎｖｏｌｕｔｉｏｎ）を計算した上で、２次元マスクをかけて、逆フーリエ変換によって画像の再構成を行う。モアレのピッチは、重ね合わされる元のパターンの周期より大きいため、上記２次元マスクは、２次元マスクによって高周波成分が取り除かれ、低周波成分のみが取り出されるようにかければよい。マスクの大きさを、人間の視覚応答特性に応じて決まるサイズに設定することによって、画像の再構成後に、モアレのコントラストやピッチや角度を算出することに基づき、視認されるモアレの程度を判断できる。
【００８０】
また、電極線間隔Ｐｓは、表示パネル１０における第１画素幅Ｐ１および第２画素幅Ｐ２の１０％以上６００％以下の範囲で設定されることが好ましい。第１画素幅Ｐ１と第２画素幅Ｐ２とが異なる場合には、第１画素幅Ｐ１および第２画素幅Ｐ２のうちの大きい方の画素幅が基準とされればよい。
【００８１】
電極線間隔Ｐｓが第１画素幅Ｐ１および第２画素幅Ｐ２の１０％以上であれば、パターン内にて電極線の占める割合が過剰になりすぎないため、タッチパネル２０における光の透過率の低下が抑えられる。一方、電極線間隔Ｐｓが第１画素幅Ｐ１および第２画素幅Ｐ２の６００％以下であれば、タッチパネルにおける位置の検出精度が高められる。
【００８２】
また、屈曲幅Ｈｓは、上述のように設定された電極線間隔Ｐｓに対する屈曲幅Ｈｓの比である占有比Ｈｓ／Ｐｓが、０．７５を超え１．０以下となる範囲で設定されることが好ましい。この占有比Ｈｓ／Ｐｓの範囲の規定理由について、図６〜図８を参照して説明する。
【００８３】
図６は、Ｈｓ／Ｐｓ＝１．０である場合について、複数のセンシング電極線３３ＳＲから構成されるパターンを、ＦＦＴ（Ｆａｓｔ  Ｆｏｕｒｉｅｒ  Ｔｒａｎｓｆｏｒｍａｔｉｏｎ）によって解析した結果であって、複数のセンシング電極線３３ＳＲから構成されるパターンの二次元フーリエ変換によるパワースペクトルを示す。図６は、特徴的なピークを強調して示しており、センシング電極線３３ＳＲのパターンと関連の低い微弱な点は割愛されている。
【００８４】
図中の原点は直流成分のピークを示し、２次元の周波数空間には、屈曲角度αｓと屈曲周期Ｗｓとによって規定される方向に、基本空間周波数成分と高次成分とが現れている。
図７は、Ｈｓ／Ｐｓ＜１．０である場合について、複数のセンシング電極線３３ＳＲから構成されるパターンを、ＦＦＴによって解析した結果を示す。図６と比較して、図７に示すパワースペクトルにおいては、新たな高次成分が生じていることが確認される。
【００８５】
ここで、ｖ軸状に表れている周波数成分ｇに着目する。周波数成分ｇは、センシング電極線３３ＳＲのパターンに含まれる第２電極方向Ｄ２のみの周期性に由来する。周波数成分ｇの強度が高いことは、センシング電極線３３ＳＲのパターンにて第１電極方向Ｄ１に延びる要素の周波数成分が大きいことを示し、この場合、同じく第１電極方向Ｄ１に延びる表示パネル１０の画素パターンとセンシング電極線３３ＳＲのパターンとを重ね合わせたときに、これらのパターンが干渉して、コントラストの高いモアレが発生し易くなる。
【００８６】
図８は、占有比Ｈｓ／Ｐｓを変化させたとき、ＦＦＴ解析結果における周波数成分ｇの強度が基本空間周波数成分の強度に対してどのように変化するかを解析した結果を示す。すなわち、図８には、互いに隣り合うセンシング電極線３３ＳＲ間の隙間の大きさと、周波数成分ｇの強度との関係が表れている。図８にて、縦軸は、基本空間周波数成分のスペクトル強度に対する周波数成分ｇのスペクトル強度の比を示し、横軸は、占有比Ｈｓ／Ｐｓを示す。
【００８７】
図８に示されるように、占有比Ｈｓ／Ｐｓが小さいほど、すなわち、互いに隣り合うセンシング電極線３３ＳＲ間の隙間の大きさが大きいほど、基本空間周波数成分に対する周波数成分ｇの強度が大きくなる。周波数成分ｇの強度は小さいほど好ましいが、センシング電極線３３ＳＲのパターンにてモアレの誘因となる周期性が高くなることを抑えるためには、周波数成分ｇの強度が基本空間周波数成分の強度よりも低いこと、すなわち、図８に示す強度比が１．０よりも小さいことが好ましい。すなわち、占有比Ｈｓ／Ｐｓは、０．７５よりも大きいことが好ましい。
【００８８】
なお、占有比Ｈｓ／Ｐｓが１．０を越える場合には、互いに隣り合う電極線が交差し、屈曲線形状のセンシング電極線３３ＳＲが並ぶパターンが形成されないため、本実施形態のセンシング電極線３３ＳＲのパターンにおいては、占有比Ｈｓ／Ｐｓは１．０以下となる。
【００８９】
また、屈曲角度αｓは、９５度以上１５０度以下であることが好ましく、１００度以上１４０度以下であることがさらに好ましい。屈曲角度αｓが９５度以上であると、短線部３３Ｅの数が多くなってパターン内で電極線の占める割合が過剰になることが抑えられるため、タッチパネル２０における光の透過率の低下が抑えられる。一方、屈曲角度αｓが１５０度以下であると、屈曲周期Ｗｓが大きすぎない範囲に保たれるため、電極線間隔Ｐｓと占有比Ｈｓ／Ｐｓとを適切な範囲内の値に設定することが容易となる。
【００９０】
［ドライブ電極の構成］
図９を参照して、ドライブ電極３１ＤＰの構成について説明する。
図９が示すように、ドライブ電極線３１ＤＲは、第２電極方向Ｄ２に所定の周期で屈曲を繰り返す屈曲線形状を有し、センシング電極線３３ＳＲと同様に、複数のドライブ電極線３１ＤＲは、位相のずれた状態で並んでいる。
【００９１】
詳細には、ドライブ電極線３１ＤＲは、複数の屈曲部３１Ｑと、ドライブ電極線３１ＤＲに沿って互いに隣り合う屈曲部３１Ｑを結ぶ直線形状を有した複数の短線部３１Ｅとを含んでおり、全体として第２電極方向Ｄ２に延びる折れ線形状を有している。
【００９２】
複数の短線部３１Ｅの各々は、短線部３１Ｅの延びる方向に沿って長さＬｄを有している。複数のドライブ電極線３１ＤＲにおいて、短線部３１Ｅの長さＬｄは一定である。また、第２電極方向Ｄ２に沿って延びる直線である基軸線Ａ２に対する各短線部３１Ｅの傾きの絶対値は等しく、１つのドライブ電極線３１ＤＲにおいては、上記傾きが正である短線部３１Ｅａと、上記傾きが負である短線部３１Ｅｂとが、第２電極方向Ｄ２に沿って交互に繰り返されている。
【００９３】
屈曲角度αｄは、屈曲部３１Ｑにて接続される短線部３１Ｅａと短線部３１Ｅｂとのなす角の角度であり、複数のドライブ電極線３１ＤＲにおいて、屈曲角度αｄは一定である。また、屈曲角度αｄは、屈曲部３１Ｑを通って第１電極方向Ｄ１に沿って延びる直線によって、二等分される。
【００９４】
ドライブ電極線３１ＤＲにおける第１電極方向Ｄ１の一方側に位置する複数の屈曲部３１Ｑと、ドライブ電極線３１ＤＲにおける第１電極方向Ｄ１の他方側に位置する複数の屈曲部３１Ｑとは、第２電極方向Ｄ２に沿って延びる別々の直線上に位置する。これらの直線間の長さ、すなわち、第１電極方向Ｄ１の一方側に位置する屈曲部３１Ｑと、第１電極方向Ｄ１の他方側に位置する屈曲部３１Ｑとの間の、第１電極方向Ｄ１に沿った長さが屈曲幅Ｈｄである。複数のドライブ電極線３１ＤＲにおいて、屈曲幅Ｈｄは一定である。
【００９５】
また、上記第１電極方向Ｄ１の一方側もしくは他方側にて、第２電極方向Ｄ２に沿って隣り合う屈曲部３１Ｑ間の距離が屈曲周期Ｗｄであり、屈曲周期Ｗｄは、ドライブ電極線３１ＤＲにおける１周期の長さである。複数のドライブ電極線３１ＤＲにおいて、屈曲周期Ｗｄは一定である。
【００９６】
複数のドライブ電極線３１ＤＲは、一定の配列間隔である電極線間隔Ｐｄで、第１電極方向Ｄ１に沿って並べられている。１つのドライブ電極３１ＤＰを構成する複数のドライブ電極線３１ＤＲの各々は、第２電極方向Ｄ２における一方の端部にてドライブパッド３１Ｐに接続されている。
【００９７】
ドライブ電極線３１ＤＲにおける位相は、ドライブ電極線３１ＤＲにおける１周期内での第２電極方向Ｄ２における位置である。複数のドライブ電極線３１ＤＲは、第２電極方向Ｄ２に位相のずれた状態で第１電極方向Ｄ１に沿って並んでおり、すなわち、第１電極方向Ｄ１に沿って互いに隣り合うドライブ電極線３１ＤＲにおいて、第１電極方向Ｄ１に沿って並ぶ部分の位相は、互いに異なっている。詳細には、互いに隣り合うドライブ電極線３１ＤＲにおいて、第１電極方向Ｄ１に沿って並ぶ部分は逆位相になっており、互いに隣り合うドライブ電極線３１ＤＲの位相は反転している。
【００９８】
ドライブ電極線３１ＤＲにおいて、屈曲角度αｄ、屈曲幅Ｈｄ、屈曲周期Ｗｄ、および、電極線間隔Ｐｄの各々は、上述のセンシング電極線３３ＳＲの説明にて屈曲角度αｓ、屈曲周期Ｗｓ、屈曲幅Ｈｓ、および、電極線間隔Ｐｓの各々について示した条件と同じ条件を満たすように設定されることが好ましい。
【００９９】
すなわち、屈曲角度αｄ、屈曲幅Ｈｄ、屈曲周期Ｗｄ、および、電極線間隔Ｐｄの各パラメータは、複数のドライブ電極線３１ＤＲのパターンと表示パネル１０の画素パターンとを重ね合わせたときに、モアレの発生が抑えられる値に設定されることが好ましい。そして、屈曲角度αｄは、９５度以上１５０度以下であることが好ましく、１００度以上１４０度以下であることがさらに好ましい。また、電極線間隔Ｐｄは、表示パネル１０における第１画素幅Ｐ１および第２画素幅Ｐ２の１０％以上６００％以下の範囲で設定されることが好ましい。また、屈曲幅Ｈｄと電極線間隔Ｐｄとは、電極線間隔Ｐｄに対する屈曲幅Ｈｄの比（Ｈｄ／Ｐｄ）が、０．７５を超え１．０以下となる範囲で設定されることが好ましい。
【０１００】
センシング電極線３３ＳＲとドライブ電極線３１ＤＲとにおいて、短線部３３Ｅの長さＬｓと短線部３１Ｅの長さＬｄ、屈曲角度αｓと屈曲角度αｄ、屈曲幅Ｈｓと屈曲幅Ｈｄ、屈曲周期Ｗｓと屈曲周期Ｗｄ、および、電極線間隔Ｐｓと電極線間隔Ｐｄの各々は、一致していてもよいし、異なってもよい。ただし、センシング電極線３３ＳＲの屈曲周期Ｗｓは、ドライブ電極線３１ＤＲの電極線間隔Ｐｄの２倍であり（Ｗｓ＝２×Ｐｄ）、ドライブ電極線３１ＤＲの屈曲周期Ｗｄは、センシング電極線３３ＳＲの電極線間隔Ｐｓの２倍である（Ｗｄ＝２×Ｐｓ）ことが好ましい。この理由は、センシング電極線３３ＳＲとドライブ電極線３１ＤＲとが重ね合わされたパターンを参照して、以下で説明する。
【０１０１】
［導電性フィルムの詳細構造］
図１０および図１１を参照して、複数のセンシング電極線３３ＳＲと複数のドライブ電極線３１ＤＲとが重ね合わされることによって形成されるパターンである電極線パターンについて説明する。
【０１０２】
図１０が示すように、導電性フィルム２１では、透明誘電体基板３３の表面と対向する方向から見て、上述の複数のセンシング電極線３３ＳＲから構成されるパターンと、複数のドライブ電極線３１ＤＲから構成されるパターンとが重ね合わされたパターンが形成されている。このとき、センシング電極３３ＳＰとドライブ電極３１ＤＰとが直交するように、すなわち、センシング電極線３３ＳＲの延びる方向とドライブ電極線３１ＤＲの延びる方向とが直交するように、これらの電極線が重ねられている。
【０１０３】
直線状に延びる電極線が交差するパターンのように、同一形状の矩形が繰り返されるパターンと比較して、本実施形態の電極線パターンは、矩形とは異なる多角形であって、かつ、２種類以上の形状の多角形が並ぶパターンであるため、パターンの周期性が低い。したがって、画素パターンと電極線パターンとのずれが、２つの周期構造のずれとして認識され難くなるため、本実施形態の電極線パターンを表示パネル１０の画素パターンと重ね合わせた場合に、モアレが視認されることが抑えられる。その結果、表示装置１００にて視認される画像の品質の低下が抑えられる。特に、屈曲角度αｓ，αｄ、屈曲幅Ｈｓ，Ｈｄ、屈曲周期Ｗｓ，Ｗｄ、および、電極線間隔Ｐｓ，Ｐｄの各々が、モアレの生じ難い値に設定されている構成では、画素パターンと電極線パターンとを重ね合わせた場合に、モアレが視認されることがより好適に抑えられる。
【０１０４】
そして、複数のセンシング電極線３３ＳＲと複数のドライブ電極線３１ＤＲとの各々において、互いに隣り合う電極線の位相がずれていることにより、第１電極方向Ｄ１や第２電極方向Ｄ２に沿って、同一の傾きの短線部３３Ｅ，３１Ｅが並ぶことは起こらない。それゆえ、同一の傾きの短線部３３Ｅ，３１Ｅが並ぶ帯状の領域が電極線の並ぶ方向に延びるように形成されること、さらに、短線部３３Ｅ，３１Ｅの延びる方向が互いに異なる２種類の帯状の領域が交互に並ぶことは起こらない。そのため、帯状のパターンが、特に、表示装置１００の非点灯時に外光の反射によって視認されることが抑えられ、操作面２０Ｓから見た外観の品質が低くなることが抑えられる。
【０１０５】
ここで、Ｗｓ＝２×Ｐｄ、かつ、Ｗｄ＝２×Ｐｓである場合、透明誘電体基板３３の表面と対向する方向から見て、ドライブ電極線３１ＤＲに対するセンシング電極線３３ＳＲの配置、すなわち、ドライブ電極線３１ＤＲの屈曲部３１Ｑや短線部３１Ｅに対するセンシング電極線３３ＳＲの屈曲部３３Ｑや短線部３３Ｅの位置が、面内で一定となる。したがって、電極線パターンにおける電極線の疎密が面内で均等になるように、電極線を配置することができる。
【０１０６】
例えば、図１０が示すように、センシング電極線３３ＳＲの屈曲部３３Ｑは、互いに隣り合うドライブ電極線３１ＤＲの間の中央部で、これらの電極線間の隙間と重なり、ドライブ電極線３１ＤＲの屈曲部３１Ｑは、互いに隣り合うセンシング電極線３３ＳＲの間の中央部で、これらの電極線間の隙間と重なる。そして、透明誘電体基板３３の表面と対向する方向から見て、センシング電極線３３ＳＲの短線部３３Ｅの中点と、ドライブ電極線３１ＤＲの短線部３１Ｅの中点とが交差する。この場合、電極線パターンは、互いに異なる形状の２種類の八角形が、第１電極方向Ｄ１と第２電極方向Ｄ２との各方向に沿って交互に並ぶパターンとなり、これらの八角形は、いずれも、互いに向かい合う２つの優角を有する八角形となる。
【０１０７】
これに対し、図１１が示すように、センシング電極線３３ＳＲとドライブ電極線３１ＤＲとの間で、Ｗｓ＝２×Ｐｄ、かつ、Ｗｄ＝２×Ｐｓが満たされていない場合、ドライブ電極線３１ＤＲの屈曲部３１Ｑや短線部３１Ｅに対するセンシング電極線３３ＳＲの屈曲部３３Ｑや短線部３３Ｅの位置が、面内の部位によって異なる。したがって、電極線が密に配置される領域と電極線が疎らである領域が生じざるを得ない。こうした構成によっても、帯状のパターンが視認されることは抑えられるが、一方で、電極線の疎密の差は、電極線パターンが位置する領域内に明るさ等のムラを生じさせ、結果として、砂目と呼ばれる現象を引き起こす要因となる場合がある。砂目は、タッチパネル２０の操作面２０Ｓから見て、砂状に分布するちらつきや画面のぎらつきが感じられる現象である。したがって、センシング電極線３３ＳＲとドライブ電極線３１ＤＲとにおいて、Ｗｓ＝２×Ｐｄ、かつ、Ｗｄ＝２×Ｐｓが満たされていることが好ましい。
【０１０８】
なお、第１実施形態において、透明誘電体基板３３は透明誘電体層の一例である。そして、透明誘電体基板３３の表面を第１面とするとき、透明誘電体基板３３の裏面が第２面であり、センシング電極線３３ＳＲが第１電極線であり、ドライブ電極線３１ＤＲが第２電極線であり、第１電極方向Ｄ１が、第１方向かつ第２交差方向であり、第２電極方向Ｄ２が、第２方向かつ第１交差方向である。また、透明誘電体基板３３の表面を第２面とするとき、透明誘電体基板３３の裏面が第１面であり、センシング電極線３３ＳＲが第２電極線であり、ドライブ電極線３１ＤＲが第１電極線であり、第１電極方向Ｄ１が、第２方向かつ第１交差方向であり、第２電極方向Ｄ２が、第１方向かつ第２交差方向である。
【０１０９】
以上説明したように、第１実施形態によれば、以下に列挙する効果を得ることができる。
（１）互いに隣り合うセンシング電極線３３ＳＲの位相がずれていることにより、複数のセンシング電極線３３ＳＲのなかで同一の方向に延びる短線部３３Ｅが、第２電極方向Ｄ２に沿って並ぶ帯状の領域が形成されること、さらに、短線部３３Ｅの延びる方向が互いに異なる２種類の帯状の領域が第１電極方向Ｄ１に沿って交互に並ぶことが抑えられる。したがって、こうした帯状の領域の並びに起因した帯状のパターンが、反射光等によって視認されることが抑えられ、操作面２０Ｓから見た外観の品質が低くなることが抑えられる。同様に、互いに隣り合うドライブ電極線３１ＤＲの位相がずれていることにより、複数のドライブ電極線３１ＤＲのなかで同一の方向に延びる短線部３１Ｅが、第１電極方向Ｄ１に沿って並ぶ帯状の領域が形成されること、さらに、短線部３１Ｅの延びる方向が互いに異なる２種類の帯状の領域が第２電極方向Ｄ２に沿って交互に並ぶことが抑えられる。したがって、こうした帯状の領域の並びに起因した帯状のパターンが視認されることが抑えられ、操作面２０Ｓから見た外観の品質が低くなることが抑えられる。
【０１１０】
（２）特に、互いに隣り合うセンシング電極線３３ＳＲの位相が反転しているため、同一の方向に延びる短線部３３Ｅが第２電極方向Ｄ２に沿って並ぶこと、さらに、短線部３３Ｅの延びる方向が互いに異なる２種類の帯状の領域が第１電極方向Ｄ１に沿って交互に並ぶことが的確に抑えられる。同様に、互いに隣り合うドライブ電極線３１ＤＲの位相が反転しているため、同一の方向に延びる短線部３１Ｅが第１電極方向Ｄ１に沿って並ぶこと、さらに、短線部３１Ｅの延びる方向が互いに異なる２種類の帯状の領域が第２電極方向Ｄ２に沿って交互に並ぶことが的確に抑えられる。したがって、帯状のパターンが視認されることが好適に抑えられる。
【０１１１】
（３）センシング電極線３３ＳＲにおいて、電極線間隔Ｐｓに対する屈曲幅Ｈｓの比である占有比Ｈｓ／Ｐｓが、０．７５を超え１．０以下である。こうした構成によれば、複数のセンシング電極線３３ＳＲからなるパターンにおいて、モアレの誘因となる周期性を低く抑えられるため、電極線パターンと画素パターンとを重ね合わせたパターンにてモアレが視認されることが好適に抑えられる。同様に、ドライブ電極線３１ＤＲにおいて、占有比Ｈｄ／Ｐｄが、０．７５を超え１．０以下である構成では、複数のドライブ電極線３１ＤＲからなるパターンにおいて、モアレの誘因となる周期性を低く抑えられる。
【０１１２】
（４）センシング電極線３３ＳＲの屈曲周期Ｗｓが、ドライブ電極線３１ＤＲの電極線間隔Ｐｄの２倍であり、ドライブ電極線３１ＤＲの屈曲周期Ｗｄが、センシング電極線３３ＳＲの電極線間隔Ｐｓの２倍である構成によれば、透明誘電体基板３３の表面と対向する方向から見て、ドライブ電極線３１ＤＲの屈曲部３１Ｑに対するセンシング電極線３３ＳＲの屈曲部３３Ｑの位置が、これらの電極線が構成するパターン内で一定となる。それゆえ、電極線パターンにおける電極線の疎密が面内で均等になるように、電極線を配置することができる。したがって、電極線の疎密の差に起因して生じる砂目が視認されることが抑えられるため、表示装置１００にて視認される画像の品質の低下が抑えられる。
【０１１３】
（第２実施形態）
図１２〜図１４を参照して、導電性フィルム、タッチパネル、および、表示装置の第２実施形態について説明する。以下では、第２実施形態と第１実施形態との相違点を中心に説明し、第１実施形態と同様の構成については同じ符号を付してその説明を省略する。
【０１１４】
［センシング電極線群の構成］
図１２を参照して、第２実施形態のセンシング電極線３４ＳＲの構成について説明する。図１２が示すように、第２実施形態のセンシング電極線３４ＳＲは、不規則な屈曲線形状を有し、第１実施形態の規則的な屈曲線形状を基に作成される。
【０１１５】
第２実施形態のセンシング電極線３４ＳＲでは、短線部３３Ｅの長さＬｓおよび基軸線Ａ１に対する短線部３３Ｅの傾きの絶対値の各々は、１つのセンシング電極線３４ＳＲにおいて第１電極方向Ｄ１に沿って並ぶ複数の短線部３３Ｅの間で、短線部３３Ｅの並びの順序に対し不規則に変化している。
【０１１６】
第２電極方向Ｄ２に沿って隣り合う２つのセンシング電極線３４ＳＲにおいて、一方のセンシング電極線３４ＳＲの有する屈曲部３３Ｑであって、第２電極方向Ｄ２において他方のセンシング電極線３４ＳＲ側に位置する屈曲部３３Ｑと、この屈曲部３３Ｑに最も近い、他方のセンシング電極線３４ＳＲの屈曲部３３Ｑとを結ぶ仮想的な線分が、仮想線Ｋｓである。
【０１１７】
仮想線Ｋｓの長さ、すなわち、互いに隣り合う２つのセンシング電極線３４ＳＲにおいて隣接する屈曲部３３Ｑ間の長さが、屈曲部間距離Ｔｓである。屈曲部間距離Ｔｓは０以上であり、センシング電極線３４ＳＲの基となる規則的な屈曲線の配置間隔に対する屈曲部間距離Ｔｓの比は、０．５以下であることが好ましく、０．３以下であることがさらに好ましい。
【０１１８】
また、第２電極方向Ｄ２に延びる基軸線Ａ２と仮想線Ｋｓとのなす角度は、屈曲部間角度βｓである。屈曲部間角度βｓは、互いに隣り合う２つのセンシング電極線３４ＳＲの短線部３３Ｅ同士が交差しない範囲で設定されればよく、具体的には、−９０度以上＋９０度以下の範囲で設定されればよい。
【０１１９】
屈曲部間距離Ｔｓは、互いに隣り合う２つのセンシング電極線３４ＳＲにおいて設定される複数の仮想線Ｋｓの間で、仮想線Ｋｓの並びの順序に対し不規則に変化している。屈曲部間角度βｓもまた、互いに隣り合う２つのセンシング電極線３４ＳＲにおいて設定される複数の仮想線Ｋｓの間で、仮想線Ｋｓの並びの順序に対し不規則に変化している。
【０１２０】
［センシング電極線の作成方法］
図１３および図１４を参照して、第２実施形態のセンシング電極線３４ＳＲの形状の作成方法について説明する。第２実施形態のセンシング電極線３４ＳＲは、第１実施形態のセンシング電極線３３ＳＲと同様の形状を有する基準電極線における屈曲部の位置を不規則に変位させることによって得られる。
【０１２１】
図１３が示すように、センシング基準電極線４０ＫＲは、センシング電極線３４ＳＲの作成に際して設定される仮想的な電極線であって、第１実施形態のセンシング電極線３３ＳＲと同様の形状を有する。すなわち、センシング基準電極線４０ＫＲは、第１電極方向Ｄ１に所定の周期で屈曲を繰り返す屈曲線形状を有し、複数の基準屈曲部４０Ｑと、センシング基準電極線４０ＫＲに沿って互いに隣り合う基準屈曲部４０Ｑを結ぶ直線形状を有した複数の基準短線部４０Ｅとから構成される。換言すれば、複数の基準屈曲部４０Ｑのうち、センシング基準電極線４０ＫＲにおける第２電極方向Ｄ２の一方側に位置する基準屈曲部４０Ｑが第１仮想屈曲部であり、第２電極方向Ｄ２の他方側に位置する基準屈曲部４０Ｑが第２仮想屈曲部であり、第１仮想屈曲部と第２仮想屈曲部とがセンシング基準電極線４０ＫＲに沿って周期的に交互に並んでいる。そして、複数の第１仮想屈曲部と複数の第２仮想屈曲部とは、第１電極方向Ｄ１に延びる別々の直線上に位置する。
【０１２２】
また、センシング基準電極線４０ＫＲにおける位相は、センシング基準電極線４０ＫＲにおける１周期内での第１電極方向Ｄ１における位置であり、複数のセンシング基準電極線４０ＫＲは、第１電極方向Ｄ１に位相のずれた状態で第２電極方向Ｄ２に沿って並んでいる。互いに隣り合うセンシング基準電極線４０ＫＲの位相は反転している。
【０１２３】
センシング基準電極線４０ＫＲにおける屈曲角度αｋ、屈曲幅Ｈｋ、屈曲周期Ｗｋ、および、電極線間隔Ｐｋの各々は、第１実施形態のセンシング電極線３３ＳＲにおける屈曲角度αｓ、屈曲幅Ｈｓ、屈曲周期Ｗｓ、および、電極線間隔Ｐｓの各々に対応する。なお、センシング電極線３４ＳＲにおける屈曲部間距離Ｔｓの長さについて、上述の規則的な屈曲線の配置間隔は、電極線間隔Ｐｋであり、すなわち、屈曲部間距離Ｔｓの長さは、電極線間隔Ｐｋの０．５倍以下であることが好ましく、０．３倍以下であることがさらに好ましい。
【０１２４】
センシング基準電極線４０ＫＲの基準屈曲部４０Ｑの位置を、基準屈曲部４０Ｑを囲む三角形状の変位領域Ｓｋ内で動かした位置に、センシング電極線３４ＳＲの屈曲部３３Ｑが配置される。１つのセンシング電極線３４ＳＲは、１つのセンシング基準電極線４０ＫＲにおける各基準屈曲部４０Ｑの位置を、基準屈曲部４０Ｑごとの変位領域Ｓｋ内で基準屈曲部４０Ｑの並びの順序に対して不規則に変位した形状を有する。
【０１２５】
変位領域Ｓｋは、第１電極方向Ｄ１に沿って延びる底辺Ｂｋを有する二等辺三角形状を有し、底辺Ｂｋがセンシング基準電極線４０ＫＲの外側に向けられ、基準屈曲部４０Ｑを通って第２電極方向Ｄ２に延びる直線が、二等辺三角形の頂点と底辺Ｂｋの中点とを通るように配置される。底辺Ｂｋは、第２電極方向Ｄ２に沿って互いに隣り合うセンシング基準電極線４０ＫＲの間の中央に配置される。そして、底辺Ｂｋは、一方のセンシング基準電極線４０ＫＲの基準屈曲部４０Ｑに対して設定される変位領域Ｓｋと、この基準屈曲部４０Ｑと向かい合う、他方のセンシング基準電極線４０ＫＲの基準屈曲部４０Ｑに対して設定される変位領域Ｓｋとの間で共有されている。すなわち、変位領域Ｓｋの底辺Ｂｋは、第２電極方向Ｄ２におけるセンシング基準電極線４０ＫＲの中央の位置から、第２電極方向Ｄ２に電極線間隔Ｐｋの２分の１の長さだけ離れた位置に配置される。
【０１２６】
底辺Ｂｋの長さｄｂは、屈曲周期Ｗｋの０．１倍以上０．９倍以下であることが好ましい。また、変位領域Ｓｋである三角形の高さｄｈは、電極線間隔Ｐｋの０．０５倍以上０．４５倍以下であることが好ましい。
【０１２７】
長さｄｂおよび高さｄｈが上記下限値以上であれば、センシング電極線３４ＳＲとして、センシング基準電極線４０ＫＲの周期性が十分に崩れた電極線形状が得られる。一方、長さｄｂおよび高さｄｈが上記上限値以下であれば、基準屈曲部４０Ｑを不規則に変位させることによって得られたセンシング電極線３４ＳＲのパターンにおいて、互いに隣り合うセンシング電極線３４ＳＲが交差したり接触したりすることが抑えられる。
【０１２８】
図１４は、複数のセンシング基準電極線４０ＫＲにおける各基準屈曲部４０Ｑの位置を、基準屈曲部４０Ｑごとに設定された変位領域Ｓｋ内で不規則に変位させることによって得られたセンシング電極線３４ＳＲのパターンの一例を示す。図１４では、センシング基準電極線４０ＫＲを細線で示し、センシング電極線３４ＳＲを太線で示す。
【０１２９】
基準屈曲部４０Ｑは、作成されたセンシング電極線３４ＳＲのパターンが、互いに隣り合う２つのセンシング電極線３４ＳＲに対して設定される複数の仮想線Ｋｓの間で、屈曲部間距離Ｔｓと屈曲部間角度βｓとの各々が、仮想線Ｋｓの並びの順序に対し不規則に変化するパターンとなるように動かされる。例えば、互いに隣り合う２つのセンシング基準電極線４０ＫＲにおいて向かい合う２つの基準屈曲部４０Ｑの組について、１組の基準屈曲部４０Ｑが変位領域Ｓｋ内で任意の位置に動かされて変位後の屈曲部３３Ｑにおける屈曲部間距離Ｔｓと屈曲部間角度βｓとの各々がこれらのパラメータの初期値として設定される。そして、疑似乱数を用いて、仮想線Ｋｓの並びの順序に沿って屈曲部間距離Ｔｓと屈曲部間角度βｓとが設定され、これに基づき、各組の基準屈曲部４０Ｑの変位後の位置が決定される。
【０１３０】
基準屈曲部４０Ｑを変位領域Ｓｋ内で変位した位置に、センシング電極線３４ＳＲの屈曲部３３Ｑが位置し、この屈曲部３３Ｑを結ぶ位置に、センシング電極線３４ＳＲの短線部３３Ｅが位置する。複数のセンシング基準電極線４０ＫＲにおける各基準屈曲部４０Ｑの位置を、各センシング基準電極線４０ＫＲにおける基準屈曲部４０Ｑの並びの順序に対し不規則に変位することによって、複数のセンシング電極線３４ＳＲから構成されるパターンが形成される。
【０１３１】
同様に、第２実施形態のドライブ電極線は、第１実施形態のドライブ電極線３１ＤＲと同様の形状を有する基準電極線における屈曲部の位置を、この屈曲部の並びの順序に対し不規則に変位させることによって得られる。すなわち、第２実施形態のドライブ電極線も、不規則な屈曲線形状を有する。
【０１３２】
以上のように、第２実施形態においては、センシング電極線３４ＳＲのパターンは、センシング基準電極線４０ＫＲのパターンの周期性が崩されたパターンであり、第２実施形態におけるセンシング電極線３４ＳＲのパターンの周期性は、第１実施形態のセンシング電極線３３ＳＲのパターンの周期性よりも低い。同様に、第２実施形態におけるドライブ電極線のパターンの周期性は、第１実施形態のドライブ電極線３１ＤＲのパターンの周期性よりも低い。
【０１３３】
このように、第１実施形態と比較して、第２実施形態の電極線パターンの周期性、すなわち、第１電極方向Ｄ１および第２電極方向Ｄ２の各々における構造体の有無の周期性はより低く、それゆえ、こうした電極線パターンが用いられる場合、画素パターンと電極線パターンとのずれが、２つの周期構造のずれとしてより認識され難くなる。したがって、本実施形態の電極線パターンを表示パネル１０の画素パターンと重ね合わせた場合に、モアレが視認されることがさらに抑えられる。
【０１３４】
以上説明したように、第２実施形態によれば、以下に列挙する効果を得ることができる。
（５）複数のセンシング電極線３４ＳＲは、位相のずれた状態で並ぶ複数のセンシング基準電極線４０ＫＲの基準屈曲部４０Ｑを、各センシング基準電極線４０ＫＲでの基準屈曲部４０Ｑの並びの順序に対し不規則に変位した屈曲線形状を有する。したがって、複数のセンシング電極線３４ＳＲのなかで同一の方向に延びる短線部３３Ｅが、第２電極方向Ｄ２に沿って並ぶ帯状の領域が形成されること、さらに、短線部３３Ｅの延びる方向が互いに異なる２種類の帯状の領域が第１電極方向Ｄ１に沿って交互に並ぶことが抑えられる。それゆえ、こうした帯状の領域の並びに起因した帯状のパターンが視認されることが抑えられ、操作面２０Ｓから見た外観の品質が低くなることが抑えられる。さらに、センシング電極線３４ＳＲが不規則に屈曲する屈曲線形状を有するため、規則的な屈曲線からなる電極線パターンと比較して、電極線パターンが有する周期性は低い。したがって、電極線パターンと画素パターンとを重ね合わせたときに、モアレが視認されることが抑えられ、表示装置１００にて視認される画像の品質の低下が抑えられる。
【０１３５】
また同様に、ドライブ電極線についても、複数のドライブ電極線が、位相のずれた状態で並ぶ複数の基準電極線の屈曲部を、各基準電極線での屈曲部の並びの順序に対し不規則に変位した屈曲線形状を有するため、帯状のパターンが視認されることが抑えられることに加えて、モアレが視認されることが好適に抑えられる。
【０１３６】
（６）基準屈曲部４０Ｑが動かされる範囲である変位領域Ｓｋは、互いに隣り合うセンシング基準電極線４０ＫＲの間の中央に位置して第１電極方向Ｄ１に延びる底辺Ｂｋを有する二等辺三角形状を有し、基準屈曲部４０Ｑを通って第２電極方向Ｄ２に延びる仮想的な直線が二等辺三角形の頂点と底辺Ｂｋの中点とを通る位置に配置される。そして、上記二等辺三角形の高さｄｈは、電極線間隔Ｐｋの０．０５倍以上０．４５倍以下であり、底辺Ｂｋの長さｄｂは、屈曲周期Ｗｋの０．１倍以上０．９倍以下である。こうした構成によれば、変位領域Ｓｋの高さｄｈおよび底辺Ｂｋの長さｄｂが上記下限値以上であることによって、センシング電極線３４ＳＲの形状として、センシング基準電極線４０ＫＲの周期性が十分に崩れた形状が得られる。一方、変位領域Ｓｋの高さｄｈおよび底辺Ｂｋの長さｄｂが上記上限値以下であることによって、複数のセンシング電極線３４ＳＲからなるパターンにおいて、互いに隣り合うセンシング電極線３４ＳＲが交差することが抑えられる。
【０１３７】
（７）複数のセンシング電極線３４ＳＲにおける屈曲部間距離Ｔｓが、センシング基準電極線４０ＫＲにおける電極線間隔Ｐｋの０．５倍以下である構成では、複数のセンシング電極線３４ＳＲからなるパターンにおいて、電極線の密度に偏りが生じることが抑えられる。
【０１３８】
（変形例）
上記各実施形態は、以下のように変更して実施することが可能である。
・第１実施形態において、第２電極方向Ｄ２に沿って互いに隣り合うセンシング電極線３３ＳＲにおいて、第２電極方向Ｄ２に並ぶ部分の位相は、逆位相に限らず、互いに異なっていればよい。互いに隣り合うセンシング電極線３３ＳＲの位相が反転していなくとも、ずれている構成であれば、同一の方向に延びる短線部３３Ｅが、第２電極方向Ｄ２に沿って揃って並ぶことは抑えられ、短線部３３Ｅの延びる方向が互いに異なる２種類の帯状の領域が隙間なく第１電極方向Ｄ１に沿って交互に並ぶことは起こらない。したがって、図１７に示した従来の構成、すなわち、互いに隣り合うセンシング電極線３３ＳＲの位相が一致している構成と比較して、帯状のパターンが視認されることは抑えられる。同様に、第１電極方向Ｄ１に沿って互いに隣り合うドライブ電極線３１ＤＲにおいて、第１電極方向Ｄ１に並ぶ部分の位相は、逆位相に限らず、互いに異なっていればよい。
【０１３９】
また同様に、第２実施形態において、第２電極方向Ｄ２に沿って互いに隣り合うセンシング基準電極線４０ＫＲにおいて、第２電極方向Ｄ２に並ぶ部分の位相は、逆位相に限らず、互いに異なっていればよく、ドライブ電極線の作成の基となる複数の基準電極線も、位相のずれた状態で並んでいればよい。
【０１４０】
・上記各実施形態では、屈曲部３３Ｑ，３１Ｑは、直線形状の短線部３３Ｅ，３１Ｅを繋ぐ点状の部分である。これに限らず、屈曲部３３Ｑ，３１Ｑは、電極の延びる方向に互いに隣り合う短線部３３Ｅ，３１Ｅ、すなわち、互いに異なる傾きを有する２つの短線部３３Ｅ，３１Ｅを曲線状に繋ぐ部分であってもよいし、直線状に繋ぐ部分であってもよい。すなわち、センシング電極線やドライブ電極線は、屈曲部３３Ｑ，３１Ｑとそれに繋がる短線部３３Ｅ，３１Ｅの端部とによって、山部もしくは谷部が形成され、山部と谷部とが交互に位置する屈曲線形状を有していればよい。
【０１４１】
なお、第２実施形態においては、基準電極線の基準屈曲部を変位した後に、基準屈曲部の付近を、短線部を繋ぐ曲線状または直線状の部分に置き換えることによって、センシング電極線やドライブ電極線の形状が決定されればよい。
【０１４２】
さらに、第１実施形態におけるセンシング電極線３３ＳＲやドライブ電極線３１ＤＲ、第２実施形態における基準電極線は、所定の周期で屈曲を繰り返す屈曲線形状であれば、上記各実施形態で示した屈曲線形状とは異なる形状であってもよい。ただし、互いに異なる傾きの２種類の短線部３３Ｅ，３１Ｅが交互に並ぶ構成では、従来のように、互いに隣り合う電極線の位相が一致している場合に帯状のパターンが視認されやすいため、第１実施形態や第２実施形態の構成が適用されることによって、帯状のパターンが視認されにくくなる効果が高く得られる。
【０１４３】
・複数のセンシング電極線３３ＳＲから構成されるパターンと、複数のドライブ電極線３１ＤＲから構成されるパターンとのいずれか一方のみが、第１実施形態にて説明した位相のずれた電極線の並ぶパターンであってもよい。こうした構成によっても、複数のセンシング電極線３３ＳＲから構成されるパターンと、複数のドライブ電極線３１ＤＲから構成されるパターンの双方において、並列された電極線の位相が揃っている構成と比較して、帯状のパターンが視認されることを抑える効果は得られる。また、複数のセンシング電極線３３ＳＲから構成されるパターンと、複数のドライブ電極線３１ＤＲから構成されるパターンとのいずれか一方のみが、第２実施形態にて説明した不規則に屈曲する屈曲線形状を有する電極線の並ぶパターンであってもよい。
【０１４４】
また、センシング電極線とドライブ電極線との各々は、少なくとも帯状のパターンが視認されることを抑制したい領域、例えば、操作面２０Ｓから見た中央の領域等に配置される部分において、第１実施形態や第２実施形態の形状を有していればよい。
【０１４５】
・第２実施形態においては、センシング電極線３４ＳＲにおける第２電極方向Ｄ２の少なくとも一方側にて、屈曲部の位置が屈曲部の並びの順序に対して不規則であればよい。すなわち、センシング電極線３４ＳＲは、センシング基準電極線４０ＫＲにおける第１仮想屈曲部と第２仮想屈曲部との一方のみが、不規則に変位した形状を有していてもよい。例えば、センシング電極線において、第１電極方向Ｄ１に沿って延びる１つの直線上に各谷部が位置してもよく、同様に、ドライブ電極線において、第２電極方向Ｄ２に沿って延びる１つの直線上に各谷部が位置してもよい。
【０１４６】
・センシング電極線とドライブ電極線との重ね合わせに際して、センシング電極線の延びる方向である第１電極方向Ｄ１とドライブ電極線の延びる方向である第２電極方向Ｄ２とは直交していなくてもよく、これらの方向は交差していればよい。すなわち、一方の電極線の延びる方向である第１方向と、他方の電極線の延びる方向である第２方向とは、直交していなくてもよい。なお、第１方向と第２方向とが直交する構成では、センシング電極線とドライブ電極線とが重ね合わされた電極線パターンが容易に得られ、また、導電性フィルム２１の製造に際して、センシング電極線とドライブ電極線との位置合わせが容易である。
【０１４７】
また、センシング電極線の延びる方向とセンシング電極線の並ぶ方向とは、互いに直交していなくてもよく、これらの方向は交差していればよい。同様に、ドライブ電極線の延びる方向とドライブ電極線の並ぶ方向とは、互いに直交していなくてもよく、これらの方向は交差していればよい。すなわち、一方の電極線の延びる方向である第１方向と、一方の電極線の並ぶ方向である第１交差方向とは互いに交差する方向であればよく、他方の電極線の延びる方向である第２方向と、他方の電極線の並ぶ方向である第２交差方向とは、互いに交差する方向であればよい。
【０１４８】
また、上記実施形態では、第１方向と第２交差方向とは同一の方向であり、第２方向と第１交差方向とは同一の方向であるが、これらの方向のすべてが互いに異なる方向であってもよい。
【０１４９】
・図１５が示すように、タッチパネル２０を構成する導電性フィルム２１において、透明基板３１および透明接着層３２が割愛されてもよい。こうした構成では、透明誘電体基板３３の面のなかで、表示パネル１０と対向する裏面がドライブ電極面３１Ｓとして設定され、ドライブ電極面３１Ｓには、ドライブ電極３１ＤＰが位置する。そして、透明誘電体基板３３における裏面と反対側の面である表面はセンシング電極面３３Ｓであって、センシング電極面３３Ｓには、センシング電極３３ＳＰが位置する。なお、こうした構成において、ドライブ電極３１ＤＰは、例えば、透明誘電体基板３３の一方の面に形成された１つの薄膜が、エッチングによってパターニングされることにより形成され、センシング電極３３ＳＰは、例えば、透明誘電体基板３３の他方の面に形成された１つの薄膜が、エッチングによってパターニングされることにより形成される。
【０１５０】
なお、上記各実施形態のように、センシング電極３３ＳＰとドライブ電極３１ＤＰとが互いに異なる基材上に形成されている構成では、１つの基材の両面に電極線が形成されている構成と比較して、電極線の形成が容易である。
【０１５１】
・図１６が示すように、タッチパネル２０において、表示パネル１０に近い構成要素から順番に、ドライブ電極３１ＤＰ、透明基板３１、透明接着層３２、透明誘電体基板３３、センシング電極３３ＳＰ、透明接着層２３、カバー層２２が位置してもよい。
【０１５２】
こうした構成において、例えば、ドライブ電極３１ＤＰは、透明基板３１のドライブ電極面３１Ｓとなる１つの面に形成され、センシング電極３３ＳＰは、透明誘電体基板３３のセンシング電極面３３Ｓとなる１つの面に形成される。そして、透明基板３１においてドライブ電極面３１Ｓの反対側の面と、透明誘電体基板３３においてセンシング電極面３３Ｓの反対側の面とが、透明接着層３２によって接着される。この場合、透明基板３１、透明接着層３２、および、透明誘電体基板３３が、透明誘電体層を構成し、透明基板３１のドライブ電極面３１Ｓが、第１面および第２面の一方であり、透明誘電体基板３３のセンシング電極面３３Ｓが、第１面および第２面の他方である。
【０１５３】
・表示パネル１０とタッチパネル２０とは、個別に形成されていなくともよく、タッチパネル２０は、表示パネル１０と一体に形成されてもよい。こうした構成では、例えば、導電性フィルム２１のうち、複数のドライブ電極３１ＤＰがＴＦＴ層１３に位置する一方、複数のセンシング電極３３ＳＰがカラーフィルタ基板１６と上側偏光板１７との間に位置するインセル型の構成とすることができる。あるいは、導電性フィルム２１がカラーフィルタ基板１６と上側偏光板１７との間に位置するオンセル型の構成でもよい。こうした構成においては、ドライブ電極３１ＤＰとセンシング電極３３ＳＰとに挟まれる層が、透明誘電体層を構成する。
【符号の説明】
【０１５４】
Ａ１，Ａ２…基軸線、Ｄ１…第１電極方向、Ｄ２…第２電極方向、Ｋｓ…仮想線、ＮＤ…容量検出部、Ｐｓ，Ｐｄ，Ｐｋ…電極線間隔、Ｈｓ，Ｈｄ，Ｈｋ…屈曲幅、Ｗｓ，Ｗｄ，Ｗｋ…屈曲周期、Ｓｋ…変位領域、Ｔｓ…屈曲部間距離、αｓ，αｄ，αｋ…屈曲角度、βｓ…屈曲部間角度、１０…表示パネル、１１…下側偏光板、１２…薄膜トランジスタ基板、１３…ＴＦＴ層、１４…液晶層、１５…カラーフィルタ層、１５Ｐ…画素、１６…カラーフィルタ基板、１７…上側偏光板、２０…タッチパネル、２１…導電性フィルム、２２…カバー層、２３…透明接着層、３１…透明基板、３１Ｓ…ドライブ電極面、３１ＤＰ…ドライブ電極、３１ＤＲ…ドライブ電極線、３１Ｅ…短線部、３１Ｑ…屈曲部、３３…透明誘電体基板、３３ＳＰ…センシング電極、３３ＳＲ，３４ＳＲ…センシング電極線、３３Ｓ…センシング電極面、３３Ｅ…短線部、３３Ｑ…屈曲部、３４…選択回路、３５…検出回路、３６…制御部、４０ＫＲ…センシング基準電極線、４０Ｅ…基準短線部、４０Ｑ…基準屈曲部、１００…表示装置。
【図１】
2018073355.tif 000003
【図２】
2018073355.tif 000004
【図３】
2018073355.tif 000005
【図４】
2018073355.tif 000006
【図５】
2018073355.tif 000007
【図６】
2018073355.tif 000008
【図７】
2018073355.tif 000009
【図８】
2018073355.tif 000010
【図９】
2018073355.tif 000011
【図１０】
2018073355.tif 000012
【図１１】
2018073355.tif 000013
【図１２】
2018073355.tif 000014
【図１３】
2018073355.tif 000015
【図１４】
2018073355.tif 000016
【図１５】
2018073355.tif 000017
【図１６】
2018073355.tif 000018
【図１７】
2018073355.tif 000019